(57)【要約】安全システム、特に車両のエアバック、ベルトテンショナまたはこれに類するもののための点火装置（７）であって、ケーシング内に配置された点火剤を有しており、この点火剤は、導線（３，４）を介して送られる信号によって作動させられ、導線（３，４）には、本発明により設けられている少なくとも１つの電子的な構成部分（１０）が接続されている。
2004517295.tif 000002
【特許請求の範囲】
【請求項１】
安全システム、特に車両のエアバック、ベルトテンショナまたはこれに類するもののための点火装置（７）であって、ケーシング内に配置された点火剤を有しており、この点火剤は、導線（３，４）を介して送られる信号によって作動させられ、導線（３，４）には、少なくとも１つの電子的な構成部分（１０）が接続されている形式のものにおいて、
電子的な構成部分（１０）が、点火装置（７）のケーシングの外側に配置されていることを特徴とする、安全システムのための点火装置（７）。
【請求項２】
電子的な構成部分（１０）が、少なくとも部分的に導電的な支持手段を介して導線（３，４）に接続されている、請求項１記載の点火装置（７）。
【請求項３】
支持手段が打ち抜き部分（１）として形成されている、請求項２記載の点火装置（７）。
【請求項４】
支持手段が、導電的でない支持体（２）を有している、請求項２又は３記載の点火装置（７）。
【請求項５】
少なくとも電子的な構成部分（１０）がケーシング（１１）によって取り囲まれている、請求項１から４までのいずれか１項記載の点火装置（７）。
【請求項６】
ケーシング（１１）が射出成形法によって製造可能である、請求項５記載の点火装置（７）。
【発明の詳細な説明】
【０００１】
技術分野
本発明は、請求項１の上位概念に記載の形式の、安全システム、特に車両のエアバック、ベルトテンショナまたはこれに類するもののための点火装置に関する。
【０００２】
背景技術
オーストリア国実用新案第０００５２２号明細書により安全システムのための点火装置が公知である。安全システムはこの場合、ベルトテンショナである。このような点火装置では点火剤がケーシング内に配置されており、点火剤は導線を介して作動（即ち点火）するための信号を受け取る。
【０００３】
放射される電磁的なフィールドにより生じる電圧もしくは電流または導体に限定された高周波に対して保護するために、導線には少なくとも１つの電子的な構成部分が接続される。これにより放射される電圧もしくは電流または高周波は、点火剤の誤点火が生じ得ないほど弱められる。
【０００４】
このような公知の点火装置では、電子的な構成部分が、点火装置のケーシングの内側に配置されていなければならない。何故ならば、電子的な構成部分には僅かにしか構成スペースがとれないからである。電子的な構成部分が故障した場合には、点火装置全体を取り換える必要がある。
【０００５】
従って本発明の課題は、公知の点火装置を、上記の欠点を排除するように改良することである。
【０００６】
この課題は、請求項１の特徴部により解決された。
【０００７】
本発明によれば、少なくとも１つの電子的な構成部分が、点火装置のケーシングの外側に配置されている。これにより、電子的な構成部分は、充分な構成スペースが提供される個所に配置することができる。さらに、少なくとも１つの電子的な構成部分のための所要スペースは制限を受けないので、電子的な構成部分は配置と機能とに関して最良に形成することができると同時に、有利な作用、即ち効果的な誤点火の防止作用も維持している。
【０００８】
電子的な構成部分として、コイル（インダクタンス）、コンデンサ、バリスタなどが使用される。これらの構成部分のうち複数を組み合わせて使用することも考えられる。
【０００９】
本発明の別の構成では、電子的な構成部分が、少なくとも部分的に導電的な支持手段を介して導線に接続されている。これにより組み付けの柔軟性が高められる。何故ならばまず最初に導線が支持手段に接続され、次いで電子的な構成部分が支持手段に接続される（またはその逆の順序で接続される）からである。さらに種々の接続技術が、一方では導線と支持手段との接続の際に、他方では支持手段と電子的な構成部分との接続の際に実施できる。接続技術を最良に適合させることにより、持続的に保持可能な接続が形成できること、および特に接続により電子的な構成部分が損傷されないことが保証される。
【００１０】
特に有利な構成では、支持手段が打ち抜き部分として形成されている。打ち抜き部分として構成することににより一つには、導線の導電的な領域のため、ならびに電子的な構成部分のために位置固定を行うことができる。さらには、打ち抜き部分を使用することにより強度が高められ、電子的な構成部分のための組み付け場所が提供される。強度の向上は特に、導線は通常はフレキシブルな円形導体であるので重要である。このようなフレキシブル性に基づき、構成部分が導線に組み込まれる場所で、最低限の剛性が得られなければならない。このような最低限の剛性は、本発明による方法で、支持手段が、導電的でない支持体を有していることにより高められる。例えばプラスチック部分から成る導電的でない支持体によっても剛性は高められる。
【００１１】
本発明の別の構成では、少なくとも電子的な構成部分がケーシングによって取り囲まれている。これにより電子的な構成部分は外界の影響（特に機械的な負荷や湿気、導電的な粒子）から効果的に保護される。勿論、支持手段と、電子的な構成部分の方向に向けられた導線もケーシングによって取り囲まれていても良い。ケーシング自体は、組み付け場所に位置固定する固定手段または位置固定を可能にする成形構造体を有していてよい。
【００１２】
本発明の別の構成では、電子的な構成部分を取り囲むケーシングが射出成形法によって製造可能である。電子的な構成部分と、特に支持手段の使用下で導線の導電的な領域との接続後に、予め製造されたこの領域は、射出成形法（場合によっては別の同様に使用可能な方法）によって取り囲まれ、ケーシングが形成される。このような射出成形法により、ケーシングは迅速に製造可能であり、関係するエレメント、特に導線の端部も確実に取り囲まれるので、機械的な強度が著しく改善される。
【００１３】
発明の実施の形態
図１には例えば成形された複数の打ち抜き部分１が示されている。これらの打ち抜き部分１を介して電子的な構成部分が、導線の導電的な領域に接続され得る。
【００１４】
図２には、導電的な両打ち抜き部分１が、導電的ではない支持体２を介して互いに間隔をおいて配置されていることが示されている。支持体２はプラスチック部分であってよく、このプラスチック部分に打ち抜き部分１が取り付けられる。しかしながら、打ち抜き部分１が間隔をおいて位置固定され、支持体２が例えば射出成形法によって、打ち抜き部分１を取り囲むように製造されることも考えられる。
【００１５】
図３には２つの導線３，４が図示されている。これらは絶縁材を取り除かれているので、導体５，６が露出している。絶縁材除去部は、概略的に示した点火装置７と、同様に概略的に配置した制御ユニット８との間の任意の個所に配置されていてよい。制御ユニット８からは、点火装置７を発動させるための信号が発せられる。ここではさらに、電気的な導線が必ずしも円形導体として形成されている必要はないことを述べておく。例えば、剛性的な扁平帯導体またはフレキシブルなシート導体であってもよい。
【００１６】
図４には、絶縁材除去された領域が打ち抜き部分１と接続されていて、ここで例えばろう接されることが示されている。接続前に位置固定するために、打ち抜き部分１は屈曲部９を有しており、これにより導体５，６は打ち抜き部分１に保持される。ろう接ではなく、この場合、例えば屈曲部９を介して導体５，６を打ち抜き部分１にクリップ固定することも考えられる。
【００１７】
図５には、予め組み付けられたユニットに電子的な構成部分１０が設けられることが示されている。電子的な構成部分１０は、打ち抜き部分１に電気的にコンタクトしている。この場合、電子的な構成部分１０は、両導線３，４に並列に接続されていることが示されている。勿論、本発明は、電子的な構成部分１０が、導線の内側で、直列にこの導線に接続される場合でも実現される。さらに、１つの構成部分（または複数の構成部分）が並列に、かつ別の１つの構成部分（または別の構成部分）が直列にこの導線に接続されていてもよい。
【００１８】
図６には、電子的な構成部分１０が打ち抜き部分１と支持体２とともにケーシング１１によって取り囲まれていることが示されている。この場合、このケーシング１１は、導線３，４の端部もケーシング１１によって取り囲まれるように成形されている、または、図５に示した予め組み付けられた構成ユニットの周りに配置されている。したがって、必要な機械的な強度を有し、敏感な電子的な構成部分１０を保護する構成ユニットが得られる。ケーシング１１は、関わる全ての構成エレメントを完全に取り囲む。この場合、例えば支持体２がケーシング１１から突出していて、固定目的のために使用されることも考えられる。
【００１９】
別の選択的な構成（図示せず）では、点火装置７の方向の導線３，４、または、制御ユニット８の方向の導線３，４も、導線として形成されているのではなく、コンタクトパートナ（特にピンまたはブシュ）として形成されることも考えられる。この場合コンタクトパートナは、構造的に適当な方法でケーシング１１によって一緒に取り囲まれていて、電気的なコネクタ接続を実現している。このような電気的なコネクタ接続は、電子的な構成部分１０が、確かに点火装置７のケーシングの外側に配置されてはいるが、空間的に近傍に配置することができるという利点を有している。これに対して選択的に、電子的な構成部分１０が、制御ユニット８における電気的なコネクタ接続部の内側に配置されていてもよい。さらには、電子的な構成部分１０から一度は点火装置７の方向で、一度は制御ユニット８の方向で延びる導線３，４は、同じものまたは異なるものであってよい。
【図面の簡単な説明】
【図１】
打ち抜き部分を示した図である。
【図２】
支持体を有した打ち抜き部分を示した図である。
【図３】
絶縁材除去された導線を示した図である。
【図４】
絶縁材除去された領域に装着された打ち抜き部分と支持体とを示した図である。
【図５】
組み付けられた電子的な構成部分を示した図である。
【図６】
ケーシングによって取り囲まれた電子的な構成部分を示した図である。
【国際公開パンフレット】
2004517295.tif 000003
2004517295.tif 000004
2004517295.tif 000005
2004517295.tif 000006
2004517295.tif 000007
2004517295.tif 000008
2004517295.tif 000009
2004517295.tif 000010
2004517295.tif 000011
2004517295.tif 000012
2004517295.tif 000013
2004517295.tif 000014
【国際調査報告】
2004517295.tif 000015
2004517295.tif 000016
2004517295.tif 000017
2004517295.tif 000018
2004517295.tif 000019
2004517295.tif 000020